(57)【要約】      （修正有）【課題】上衣・下衣とは独立して設けられており、如何なる衣服にも装着でき、下衣とは、簡単に取り外しが可能であり、しかも、外したサスペンダーを再び装着する際にも、極めて簡単に装着できるサスペンダーを提供する。【解決手段】両肩部から吊り下げる，一対の吊り下げ帯本体１，１´と、これら吊り下げ帯本体をそれぞれ下衣Ｘと着脱自在に装着するクリップ２、２´を有するサスペンダーにおいて、前記吊り下げ帯本体１，１´と、クリップ２，２´とは、着脱自在のフック３及びクリップ取付部材４を介して設けた。【選択図】図１
0003215316.tif 000002
【実用新案登録請求の範囲】
【請求項１】
両肩部から吊り下げる，一対の吊り下げ帯本体（１，１´）と、これら吊り下げ帯本体をそれぞれ下衣（Ｘ）と着脱自在に装着するクリップ（２、２´）を有するサスペンダーにおいて、
前記吊り下げ帯本体（１，１´）と、クリップ（２，２´）とは、着脱自在のフック（３）及びクリップ取付部材（４）を介して設けた
ことを特徴とするサスペンダー。
【請求項２】
前記吊り下げ帯本体（１，１´）は、素材が非伸縮性素材である
ことを特徴とする請求項１記載のサスペンダー。
【請求項３】
前記クリップ（２、２´）は、前記クリップ取付部材（４）の両端部にそれぞれ設けた
ことを特徴とする請求項１記載のサスペンダー。
【請求項４】
前記フック（３）は、雌部（３ａ）を前記吊り下げ帯本体（１，１´）に設け、雄部（３ｂ）を前記クリップ取付部材（４）の中央部に設けた
ことを特徴とする請求項１記載のサスペンダー。
【請求項５】
前記クリップ取付部材（４）は、両端部が下方を向く弓型状である
ことを特徴とする請求項１または３または４記載のサスペンダー。
【請求項６】
前記取付部材（４）は、ウエストの左右両側部にそれぞれ設ける
ことを特徴とする請求項１または３または４または５記載のサスペンダー。
【考案の詳細な説明】
【技術分野】
【０００１】
この考案は、サスペンダーに関するものである。  
【背景技術】
【０００２】
従来、サスペンダーは、吊りバンドとも呼ばれ、通常エラスチックゴム（または人造皮革や皮革）製の一対のベルトを肩にかけ、ベルトの先端は、ボタン、またはクリップで留め、ズボンとは、後ろ１点、前２点の３点で留めるタイプが通常であり、ズボンを吊り下げたような形態で使用されている。
【０００３】
特に、ベルトと比べて腹部を締め付けないため、ウエストの大きい肥満体型の人であっても負担が少ない。そして、もともとは、単独のパーツとして用いられていたが、その後ズボンやスカートに最初から作り付けになっているものもある。
【０００４】
しかし、ズボンを脱ぐ際に、ベルトの先端部の両方のクリップを外してしまうと、ベルト（ゴム製）が収縮によりクリップは上方に移動してしまい、再度装着する際には、両方のクリップを上衣の上から探りだし、引っ張って下衣の縁部に装着する必要があり、その作業は煩雑であった。この下衣に装着したクリップを容易に外せることを目的とするサスペンダーは存在した。例えば、特許文献１、特許文献２のように。
【先行技術文献】
【特許文献】
【０００５】
【特許文献１】特開２００９−１２７１３８号公報
【特許文献２】特開２０１５−０２８２２０号公報
【０００６】
しかし、特許文献１に示されたサスペンダー装置は、上衣と、雨合羽ズボンにおいて、上衣であるベストに、クリップを予め縫着した上ベルトと、雨合羽ズボンに取り付けた下ベルトとを、着脱具を介して連結して使用するものであった。しかしながら、この装置は、ベストと雨合羽ズボンに特定されており、他の衣服には利用できないという欠点があった。
【０００７】
また、特許文献２に示されたサスペンダー付き下衣は、下衣の臀部上部の腰周りに、断面が円状の背レール部を設けたものであり、サスペンダーは該レールに係合し、且つ、係合しながら移動する構成となっており、下衣の着心地が悪いという欠点があった。
【考案の開示】
【考案が解決しようとする課題】
【０００８】
そこでこの考案は、サスペンダーの構造を改良し、サスペンダーは、上衣・下衣とは独立して設けられており、如何なる衣服にも装着でき、サスペンダーと下衣とは、簡単に取り外しが可能であり、しかも、外したサスペンダーを再び装着する際にも、極めて簡単に装着できるサスペンダーを開発・提供することにある。
【課題を解決するための手段】
【０００９】
このサスペンダーは、
両肩部から吊り下げる，一対の吊り下げ帯本体と、これら吊り下げ帯本体をそれぞれ下衣と着脱自在に装着するクリップを有するサスペンダーにおいて、
前記吊り下げ帯本体と、クリップとは、着脱自在のフック及びクリップ取付部材を介して設けた
ことを特徴とする。
【００１０】
そして、
前記吊り下げ帯本体は、素材が非伸縮性素材である
ことを特徴とする。
【００１１】
また、
前記クリップは、前記クリップ取付部材の両端部にそれぞれ設けた
ことを特徴とする。
【００１２】
さらに、
前記フックは、雌部を前記吊り下げ帯本体に設け、雄部を前記クリップ取付部材の中央部に設けた
ことを特徴とする。
【００１３】
そして、
前記クリップ取付部材は、両端部が下方を向く弓型状である
ことを特徴とする。
【００１４】
また、
前記取付部材は、ウエストの左右両側部にそれぞれ設ける
ことを特徴とする。
【考案の効果】
【００１５】
この考案によると、サスペンダーの非伸縮性の吊り下げ帯本体と、下衣の両脇部にそれぞれ装着するクリップとを、着脱自在のフックを介して設けたことにより、クリップは下衣に装着したままでフックだけを外すことで、サスペンダーを用いた下衣の装・着脱が極めて簡単に出来る等の有益なる効果を奏する。
【図面の簡単な説明】
【００１６】
【図１】この考案の一実施例を示す一部切り欠いた正面図である。
【図２】この考案の使用状態を示す側面図である。
【図３】この考案の使用状態を示し、（Ａ）は、Ｘ型を示す背面図であり、（Ｂ）は、Ｈ型の背面図である。
【考案を実施するための形態】
【００１７】
以下、この考案について詳細に説明する。尚、この考案においては、以下の記述に限定されるものではなく、この要旨を逸脱しない範囲においては適宜変更可能である。
【実施例】
【００１８】
そこで、この考案の一実施例を図１〜図３に基づいて説明すると、この考案は、両肩部から吊り下げる，一対の吊り下げ帯本体（１，１´）と、これら吊り下げ帯本体をそれぞれ下衣（Ｘ）と着脱自在に装着するクリップ（２、２´）を有するサスペンダーにおいて、前記吊り下げ帯本体（１，１´）と、クリップ（２，２´）とは、着脱自在のフック（３）及びクリップ取付部材（４）を介して設けたことを特徴とするサスペンダーから構成されるものである。
【００１９】
そして、前記吊り下げ帯本体（１，１´）は、伸縮しない帯（ベルト）状の素材を用いるサスペンダーであることを特徴とする。このような素材を使用することにより、クリップ(２，２´）を外した際、クリップが吊り下げ帯本体（１，１´）の伸縮により、上衣の上方に移動することを防止している。
【００２０】
また、前記クリップ（２、２´）とは、通称「くわえカン」と呼ばれるものであり、該クリップは、後述のような弓型状のクリップ取付部材（４）の両端部にそれぞれ設け、安定したサスペンダーを構成するものである。
【００２１】
さらに、前記フック（３）は、雌部（３ａ）を前記吊り下げ帯本体（１，１´）側に設け、雄部（３ｂ）は、前記クリップ取付部材（４）側の中央部に設けている。
【００２２】
前記クリップ取付部材（４）は、素材が、弾力性を有する部材で構成されており、全体の形状は、両端部が下方を向く弓型状であり、人体のズボン等の下衣の上端部であって、ウエストの左右両側に添うよう構成している。
【００２３】
なお、本願のサスペンダーは、両肩部とウエストの左右両側，即ち，両脇部の二点で装着するよう構成しているが、該サスペンダーは、背面部で交差するＸ型は、図３（Ａ）に図示しており、背中部で平行するＨ型は、図３（Ｂ）にそれぞれ図示しており、このＨ型のサスペンダーには、背部に伸縮材で構成された連結ベルト（５）で吊り下げ帯本体を連結することにより人体に確実に装着できるよう構成している。
【００２４】
また、吊り下げ帯本体（１，１´）には、長さを調節するバックル（図示しない）は、当然設けられているものである。
【産業上の利用可能性】
【００２５】
この考案のサスペンダーの技術を確立し、実施することにより、産業上利用可能性があるものである。
【符号の説明】
【００２６】
１，１´  吊り下げ帯本体
２，２´  クリップ
３  フック  
３ａ  雌部
３ｂ  雄部
４  クリップ取付部材
５  連結ベルト
Ｘ  下衣
【図１】
0003215316.tif 000003
【図２】
0003215316.tif 000004
【図３】
0003215316.tif 000005